(57)【要約】【課題】  パチンコ球の転動結果を容易に予想することができないパチンコ機を提供すること。【解決手段】  ワープ入口３に進入したパチンコ球は、ワープ通路４を介して、ワープ出口５から放出され、コイルバネ６の一端面を介して、コイルバネ６の内部を転動することになる。このとき、螺旋形状の伸縮自在なコイルバネ６が引張られた状態又はその付近の状態にある場合には、コイルバネ６の一部又は全部のピッチ間隔がパチンコ球の直径よりも大きくなるので、コイルバネ６の内部を転動するパチンコ球は、コイルバネ６の他端面からだけでなく、コイルバネ６の途中からも落下する。【選択図】  図２
2005334498.tif 000002
【特許請求の範囲】
【請求項１】
パチンコ球の直径よりも大きい内径を有した螺旋形状の伸縮自在な遊技球通路と、
前記遊技球通路の一端を支持する支持部材と、
前記支持部材を介して前記遊技球通路を変動させる駆動源と、
前記遊技球通路の他端を固定する固定部材と、を備え、
前記遊技球通路が伸ばされた際に前記遊技球通路の一部又は全部のピッチ間隔がパチンコ球の直径よりも大きくなること、を特徴とするパチンコ機。
【請求項２】
請求項１に記載するパチンコ機であって、
前記遊技球通路の一部又は全部のピッチ間隔が無作為に形成されていること、を特徴とするパチンコ機。
【請求項３】
請求項１又は請求項２に記載するパチンコ機であって、
前記遊技球通路が所定方向に連続的に傾斜していること、を特徴とするパチンコ機。
【請求項４】
請求項３に記載するパチンコ機であって、
前記遊技球通路が伸ばされた際に、前記遊技球通路の連続的な傾斜の所定方向が逆転したときには、前記遊技球通路の全部のピッチ間隔がパチンコ球の直径よりも大きくなること、を特徴とするパチンコ機。
【発明の詳細な説明】
【技術分野】
【０００１】
本発明は、パチンコ球の転動方向を変更させることができるパチンコ機に関するものである。
【背景技術】
【０００２】
従来のパチンコ機には、例えば、下記特許文献１に記載されているように、遊技盤の中央に設けた遊技球入賞誘導装置において、左右の遊技球落下部に細線を螺旋形状に加工した遊技球干渉部材を同軸的に配設しているものがあり、これにより、遊技球落下部に入った遊技球は、遊技球干渉部材に沿って螺旋状に回転しながら落下するので、遊技球の運動に変化が与えられ、視覚的な面白味を得ることができる。
【特許文献１】特開平８−３３６６３７号公報（第２図）
【発明の開示】
【発明が解決しようとする課題】
【０００３】
しかしながら、遊技球落下部に入った際の遊技球の状態（例えば、回転・速度など）がほぼ同じであれば、遊技球干渉部材に沿って螺旋状に回転しながら落下する遊技球の状態もほぼ同じなので、遊技球干渉部材の真下に配設された転動路に遊技球が落下する位置もほぼ同じとなり、パチンコ遊技に慣れてくると、遊技球落下部に入った際の遊技球の状態（例えば、回転・速度など）が変わっても、その後の遊技球の転動結果を容易に予想できるようになる。そのため、その後のパチンコ球の転動結果が遊技者にとって不利と予想される場合には、そのパチンコ球に対する興味を失ってしまうことになる。
【０００４】
そこで、本発明は、上述した点を鑑みてなされたものであり、パチンコ球の転動結果を容易に予想することができないパチンコ機を提供することを課題とする。
【課題を解決するための手段】
【０００５】
この課題を解決するために成された請求項１に係る発明は、パチンコ機であって、パチンコ球の直径よりも大きい内径を有した螺旋形状の伸縮自在な遊技球通路と、前記遊技球通路の一端を支持する支持部材と、前記支持部材を介して前記遊技球通路を変動させる駆動源と、前記遊技球通路の他端を固定する固定部材と、を備え、前記遊技球通路が伸ばされた際に前記遊技球通路の一部又は全部のピッチ間隔がパチンコ球の直径よりも大きくなること、を特徴としている。
【０００６】
また、請求項２に係る発明は、請求項１に記載するパチンコ機であって、前記遊技球通路の一部又は全部のピッチ間隔が無作為に形成されていること、を特徴としている。
【０００７】
また、請求項３に係る発明は、請求項１又は請求項２に記載するパチンコ機であって、
前記遊技球通路が所定方向に連続的に傾斜していること、を特徴としている。
【０００８】
また、請求項４に係る発明は、請求項３に記載するパチンコ機であって、前記遊技球通路が伸ばされた際に、前記遊技球通路の連続的な傾斜の所定方向が逆転したときには、前記遊技球通路の全部のピッチ間隔がパチンコ球の直径よりも大きくなること、を特徴としている。
【発明の効果】
【０００９】
すなわち、本発明のパチンコ機では、螺旋形状の伸縮自在な遊技球通路が伸ばされた際には、遊技球通路の一部又は全部のピッチ間隔がパチンコ球の直径よりも大きくなるので、遊技球通路を通過中のパチンコ球は遊技球通路の途中からも放出されることになり、遊技球通路がに入ったときのパチンコ球の状態（例えば、回転・速度など）がほぼ同じであっても、パチンコ球が遊技球通路から放出される箇所はその都度異なることから、パチンコ球の転動結果を容易に予想することができない。
【発明を実施するための最良の形態】
【００１０】
以下、本発明の実施の形態を図面を参照にして説明する。図１は、第１実施の形態に係る第１種パチンコ機の遊技盤の中央に配設される第１種中央役物を示した斜視図である。図１に示すように、第１種中央役物１には、その正面の左側中央付近において、特別図柄などを表示する液晶表示装置２が配設されている。
【００１１】
また、第１種中央役物１の上端面の右側付近には、パチンコ球が通過することが可能なワープ入口３が形成されている。そして、ワープ入口３は、パチンコ球が流下し得るように第１種中央役物１に貫通されたワープ通路４に連通している。一方、第１種中央役物１の正面の左側下部付近には、ワープ通路４に連通するとともにパチンコ球が通過することが可能なワープ出口５が形成されている。
【００１２】
また、ワープ出口５には、パチンコ球が通過することが可能なコイルバネ６の一端面にが固定されている。一方、コイルバネ６の他端面には、回転軸７の一端部に貫設されるとともにパチンコ球が通過することが可能な貫通口８に固定されている。そして、回転軸７の他端部１０は、第１種中央役物１に内設されたモータ９の駆動軸に接続されている。
【００１３】
また、回転軸７の一端部に固定されたコイルバネ６の他端面の下方には、モータ９の駆動軸（回転軸７の他端部１０）の真下から液晶表示装置２の下方中央に向かって下りに傾斜したステージ１１が形成されている。さらに、ステージ１１の左端側の下方であって、液晶表示装置２の下方中央には、パチンコ球が流下し得る中央通路１２が形成されている。そして、中央通路１２は、第１種中央役物１の正面の中央下部付近において形成されるとともにパチンコ球が通過することが可能な中央出口１３に連通している。
【００１４】
従って、ワープ入口３に進入したパチンコ球は、ワープ通路４を介して、ワープ出口５から放出され、コイルバネ６の一端面を介して、コイルバネ６の内部を転動することになる。その後、コイルバネ６の他端面を通過すれば、貫通口８を介し、ステージ１１上に落下して、ステージ１１上を左方向に向かって転動することになり、さらに、ステージ１１上を転動するパチンコ球は、ステージ１１の左端から落下して、中央通路１２を流下し、中央出口１３から放出されることになる。
【００１５】
しかしながら、このとき、コイルバネ６は、モータ９の駆動力によって、図１に示す圧縮された状態から図２に示す引張られた状態にまで振り子のように往復移動する。さらに、コイルバネ６のピッチ間隔は、図１に示す圧縮された状態及びその付近の状態ではパチンコ球の直径より小さいが、図２に示す引張られた状態及びその付近の状態ではパチンコ球の直径より大きくなる。そのため、コイルバネ６の内部を転動するパチンコ球は、常に、コイルバネ６の他端面を通過して、ステージ１１上に落下するとは限らず、コイルバネ６の途中から落下して、第１種中央役物１から放出されることもある。
【００１６】
尚、第１種中央役物１について、図３にその筐体１４の正面図を示し、図４にその筐体１４の平面図を示し、図５にその筐体１４の側面図を示す。
また、図６に、回転軸７の三面図（第三角法による正面図・平面図・側面図をあわせて表したもの。以下、同じ。）を示す。
【００１７】
また、図１３に、第１実施の形態に係るパチンコ機１００について、第１種中央役物１のコイルバネ６が引張られた状態にある際の正面図を示す。また、第１実施の形態に係るパチンコ機１００の遊技盤１０１について、第１種中央役物１のコイルバネ６が引張られた状態にある際の正面図を図７に示し、当該遊技盤１０１の平面図を図８に示し、当該遊技盤１０１の側面図を図９に示す。さらに、第１実施の形態に係るパチンコ機１００の遊技盤１０１について、第１種中央役物１のコイルバネ６が圧縮された状態にある際の正面図を図１０に示し、当該遊技盤１０１の平面図を図１１に示し、当該遊技盤１０１の側面図を図１２に示す。
【００１８】
以上より、本実施の形態のパチンコ機１００では、図１及び図２に示すように、ワープ入口３に進入したパチンコ球は、ワープ通路４を介して、ワープ出口５から放出され、コイルバネ６の一端面を介して、コイルバネ６の内部を転動することになる。
【００１９】
このとき、 図１に示すように、螺旋形状の伸縮自在なコイルバネ６が圧縮された状態又はその付近の状態にある場合には、コイルバネ６の全部のピッチ間隔がパチンコ球の直径よりも小さくなるので、コイルバネ６の内部を転動するパチンコ球は、コイルバネ６の他端面を通過し、貫通口８を介して、ステージ１１上に落下して、ステージ１１上を左方向に向かって転動することになり、さらに、ステージ１１上を転動するパチンコ球は、ステージ１１の左端から落下して、中央通路１２を流下し、中央出口１３から放出されることになる。この点、図１３に示すように、中央役物１の中央出口１３の下方には、第１種始動口１０２が配設されており、中央出口１３から放出されたパチンコ球は、第１種始動口１０２に向かって転動することになるので、遊技者に対して有利な状態が形成される。
【００２０】
一方、図２に示すように、螺旋形状の伸縮自在なコイルバネ６が引張られた状態又はその付近の状態にある場合には、コイルバネ６の全部のピッチ間隔がパチンコ球の直径よりも大きくなるので、コイルバネ６の内部を転動するパチンコ球は、コイルバネ６の途中からも落下することになり、コイルバネ６の他端面を通過ときのパチンコ球の状態（例えば、回転・速度など）がほぼ同じであっても、パチンコ球がコイルバネ６から落下する箇所はその都度異なることから、パチンコ球の転動結果を容易に予想することができない。
【００２１】
また、本実施の形態のパチンコ機１００では、図１及び図２に示すように、パチンコ球がコイルバネ６に進入するコイルバネ６の一端面を固定したワープ出口５は、パチンコ球がコイルバネ６から落下するコイルバネ６の他端面を固定した貫通口８よりも、低い位置にある。そして、コイルバネ６の他端面を固定した貫通口８は、コイルバネ６が図１に示す圧縮された状態から図２に示す引張られた状態にまで振り子のように往復移動する際には、常に、コイルバネ６の最下点に位置している。そのため、コイルバネ６は、常に、パチンコ球が進入するコイルバネ６の一端面からパチンコ球が落下するコイルバネ６の他端面に向かって下りに傾斜しているので、コイルバネ６に進入したパチンコ球がコイルバネ６内で滞留したり、逆送したりすることはない。
【００２２】
尚、本発明は上記実施の形態に限定されるものでなく、その趣旨を逸脱しない範囲で様々な変更が可能である。
例えば、上述したように、コイルバネ６は、常に、パチンコ球が進入するコイルバネ６の一端面からパチンコ球が落下するコイルバネ６の他端面に向かって下りに傾斜している。この点、図２に示す引張られた状態以上に引張られた状態にすれば、コイルバネ６の下りの傾斜が小さくなり、ひいては、コイルバネ６の傾斜がなくなって、コイルバネ６の傾斜が上りに変化するが、このとき、必ず、ピッチ間隔がパチンコ球の直径よりも大きくなるようにすれば、パチンコ球の逆送を防止することができる。
【００２３】
また、コイルバネ６のピッチ間隔について、全て等しくするのではなく、不規則に大小の変化を付けてもよい。これにより、螺旋形状の伸縮自在なコイルバネ６が引張られた状態又はその付近の状態にある場合には、コイルバネ６の一部のピッチ間隔がパチンコ球の直径よりも大きくなる箇所が不規則に現れるので、より一層に、パチンコ球の転動結果を容易に予想することができない。
【００２４】
さらに、コイルバネ６のピッチ間隔の全部でなく、その一部のみが、コイルバネ６が引張られた状態又はその付近の状態にある場合にパチンコ球の直径よりも大きくなるようにしてもよい。
【００２５】
また、コイルバネ６は、金属製のものであっても、樹脂製のものであってもよい。
【００２６】
また、ワープ出口５から排出されたパチンコ球だけでなく、遊技盤１０２上を転動するパチンコ球の振り分け部材として使用することができる。
【００２７】
次に、第２実施の形態を図面を参照にして説明する。図１４は、第２実施の形態に係る第１種パチンコ機の遊技盤の中央に配設される第１種中央役物を示した斜視図である。図１４に示すように、第１種中央役物５１には、その正面の左側中央付近において、特別図柄などを表示する液晶表示装置５２が配設されている。
【００２８】
また、第１種中央役物５１の上端面の右側付近には、パチンコ球が通過することが可能なワープ入口５３が形成されている。そして、ワープ入口５３は、パチンコ球が流下し得るように第１種中央役物５１に貫通されたワープ通路５４に連通している。一方、第１種中央役物５１の正面の左側下部付近には、ワープ通路５４に連通するとともにパチンコ球が通過することが可能なワープ出口５５が形成されている。
【００２９】
また、ワープ出口５５には、パチンコ球が通過することが可能なコイルバネ５６の一端面にが固定されている。一方、コイルバネ５６の他端面には、第１種中央役物５１の正面の右側中央付近の長穴５９から突出した往復移動片５７に貫設されるとともにパチンコ球が通過することが可能な貫通口５８に固定されている。
【００３０】
尚、第１種中央役物５１の正面の右側中央付近に形成された長穴５９は、ワープ出口５５の下方から液晶表示装置５２に向かって下りに傾斜した状態で貫設されている。
【００３１】
また、往復移動片５７に固定されたコイルバネ５６の他端面の下方には、長穴５９の下方中央から液晶表示装置５２の下方中央に向かって下りに傾斜したステージ６１が形成されている。さらに、ステージ６１の左端側の下方であって、液晶表示装置６２の下方中央には、パチンコ球が流下し得る中央通路６２が形成されている。そして、中央通路６２は、第１種中央役物５１の正面の中央下部付近において形成されるとともにパチンコ球が通過することが可能な中央出口６３に連通している。
【００３２】
従って、ワープ入口５３に進入したパチンコ球は、ワープ通路５４を介して、ワープ出口５５から放出され、コイルバネ５６の一端面を介して、コイルバネ５６の内部を転動することになる。その後、コイルバネ５６の他端面を通過すれば、貫通口５８を介し、ステージ６１上に落下して、ステージ６１上を左方向に向かって転動することになり、さらに、ステージ６１上を転動するパチンコ球は、ステージ６１の左端から落下して、中央通路６２を流下し、中央出口６３から放出されることになる。
【００３３】
しかしながら、このとき、コイルバネ５６は、後述する駆動機構により往復移動片５７が長穴５９に沿って往復移動することにより、図１４に示す圧縮された状態から図１５に示す引張られた状態にまで振り子のように往復移動する。さらに、コイルバネ５６のピッチ間隔は、図１４に示す圧縮された状態及びその付近の状態ではパチンコ球の直径より小さいが、図１５に示す引張られた状態及びその付近の状態ではパチンコ球の直径より大きくなる。そのため、コイルバネ５６の内部を転動するパチンコ球は、常に、コイルバネ５６の他端面を通過して、ステージ６１上に落下するとは限らず、コイルバネ５６の途中から落下して、第１種中央役物５１から放出されることもある。
【００３４】
尚、第１種中央役物５１について、図１６にその筐体６４の正面図を示し、図１７にその筐体６４の平面図を示し、図１８にその筐体６４の側面図を示す。
【００３５】
また、図１９〜図２２において、往復移動片５７を長穴５９に沿って往復移動させるための駆動機構を構成する各部品の三面図を示す。図１９はモータ７１の三面図であり、図２０は往復部材８１の三面図であり、図２１は歯車９１の三面図である。すなわち、第１種中央役物５１の内部においては、駆動源たるモータ７１の駆動軸７１に対し歯車９１の軸穴９２を嵌合させることにより、モータ７１で歯車９１を回動させる。一方、往復部材８１については、貫通口５８が貫設された往復移動片５７が、平板状の連結部８４を介して、ラック８３と一体化されており、第１種中央役物５１の長穴５９に連結部８４が介在することによって、ラック８３を第１種中央役物５１に内在させるとともに往復移動片５７を第１種中央役物５１に外在させる。
【００３６】
さらに、第１種中央役物５１の内部においては、歯車９１と往復部材８１のラック８３が歯合するように、モータ７１を配設する。これにより、モータ７１の回転力が往復部材８１に伝達するので、往復部材８１は、その連結部８４が第１種中央役物５１の長穴５９に案内されながら移動することになる。よって、モータ７１の回転を双方向で行うことにより、往復部材８１の往復移動片５７（に貫設された貫通口５８）を、長穴５９に沿って往復移動させることができる。
【００３７】
また、図２８には、第２実施の形態に係るパチンコ機２００について、第１種中央役物５１のコイルバネ５６が引張られた状態にある際の正面図を示す。また、第２実施の形態に係るパチンコ機２００の遊技盤２０１について、第１種中央役物５１のコイルバネ５６が引張られた状態にある際の正面図を図２２に示し、当該遊技盤２０１の平面図を図２３に示し、当該遊技盤２０１の側面図を図２４に示す。さらに、第２実施の形態に係るパチンコ機２００の遊技盤２０１について、第１種中央役物５１のコイルバネ５６が圧縮された状態にある際の正面図を図２５に示し、当該遊技盤２０１の平面図を図２６に示し、当該遊技盤２０１の側面図を図２７に示す。
【００３８】
以上より、本実施の形態のパチンコ機２００では、図１４及び図１５に示すように、ワープ入口５３に進入したパチンコ球は、ワープ通路５４を介して、ワープ出口５５から放出され、コイルバネ５６の一端面を介して、コイルバネ５６の内部を転動することになる。
【００３９】
このとき、 図１４に示すように、螺旋形状の伸縮自在なコイルバネ５６が圧縮された状態又はその付近の状態にある場合には、コイルバネ５６の全部のピッチ間隔がパチンコ球の直径よりも小さくなるので、コイルバネ５６の内部を転動するパチンコ球は、コイルバネ５６の他端面を通過し、貫通口５８を介して、ステージ６１上に落下して、ステージ６１上を左方向に向かって転動することになり、さらに、ステージ６１上を転動するパチンコ球は、ステージ６１の左端から落下して、中央通路６２を流下し、中央出口６３から放出されることになる。この点、図２８に示すように、中央役物５１の中央出口６３の下方には、第１種始動口２０２が配設されており、中央出口６３から放出されたパチンコ球は、第１種始動口２０２に向かって転動することになるので、遊技者に対して有利な状態が形成される。
【００４０】
一方、図１５に示すように、螺旋形状の伸縮自在なコイルバネ５６が引張られた状態又はその付近の状態にある場合には、コイルバネ５６の全部のピッチ間隔がパチンコ球の直径よりも大きくなるので、コイルバネ５６の内部を転動するパチンコ球は、コイルバネ５６の途中からも落下することになり、コイルバネ５６の他端面を通過ときのパチンコ球の状態（例えば、回転・速度など）がほぼ同じであっても、パチンコ球がコイルバネ５６から落下する箇所はその都度異なることから、パチンコ球の転動結果を容易に予想することができない。
【００４１】
また、本実施の形態のパチンコ機２００では、図１４及び図１５に示すように、パチンコ球がコイルバネ５６に進入するコイルバネ５６の一端面を固定したワープ出口５５は、パチンコ球がコイルバネ５６から落下するコイルバネ５６の他端面を固定した貫通口５８よりも、低い位置にある。そして、コイルバネ５６の他端面を固定した貫通口５８は、長穴５９に沿って往復移動する。この点、長穴５９は、ワープ出口５５の下方から液晶表示装置５２に向かって下りに傾斜した状態で貫設されている。従って、コイルバネ５６の他端面を固定した貫通口５８は、コイルバネ５６が図１４に示す圧縮された状態から図１５に示す引張られた状態にまで振り子のように往復移動する際には、常に、コイルバネ５６の最下点に位置している。そのため、コイルバネ５６は、常に、パチンコ球が進入するコイルバネ５６の一端面からパチンコ球が落下するコイルバネ５６の他端面に向かって下りに傾斜しているので、コイルバネ５６に進入したパチンコ球がコイルバネ５６内で滞留したり、逆送したりすることはない。
【００４２】
尚、本発明は上記実施の形態に限定されるものでなく、その趣旨を逸脱しない範囲で様々な変更が可能である。
例えば、コイルバネ５６のピッチ間隔について、全て等しくするのではなく、不規則に大小の変化を付けてもよい。これにより、螺旋形状の伸縮自在なコイルバネ５６が引張られた状態又はその付近の状態にある場合には、コイルバネ５６の一部のピッチ間隔がパチンコ球の直径よりも大きくなる箇所が不規則に現れるので、より一層に、パチンコ球の転動結果を容易に予想することができない。
【００４３】
さらに、コイルバネ５６のピッチ間隔の全部でなく、その一部のみが、コイルバネ５６が引張られた状態又はその付近の状態にある場合にパチンコ球の直径よりも大きくなるようにしてもよい。
【００４４】
また、コイルバネ５６は、金属製のものであっても、樹脂製のものであってもよい。
【００４５】
また、ワープ出口５５から排出されたパチンコ球だけでなく、遊技盤２０２上を転動するパチンコ球の振り分け部材として使用することができる。
【産業上の利用可能性】
【００４６】
本発明は、コイルバネや軟質樹脂などの螺旋状の部材をパチンコ機の役物として使用する技術に適用し得る。
【図面の簡単な説明】
【００４７】
【図１】第１実施の形態に係る第１種パチンコ機の遊技盤の中央に配設される第１種中央役物（コイルバネが圧縮された状態にあるもの）を示した斜視図である。
【図２】第１実施の形態に係る第１種パチンコ機の遊技盤の中央に配設される第１種中央役物（コイルバネが引張られた状態にあるもの）を示した斜視図である。
【図３】第１実施の形態に係る第１種パチンコ機の遊技盤の中央に配設される第１種中央役物の筐体を示した正面図である。
【図４】第１実施の形態に係る第１種パチンコ機の遊技盤の中央に配設される第１種中央役物の筐体を示した平面図である。
【図５】第１実施の形態に係る第１種パチンコ機の遊技盤の中央に配設される第１種中央役物の筐体を示した側面図である。
【図６】第１実施の形態に係る第１種パチンコ機の遊技盤の中央に配設される第１種中央役物の回転軸を示した三面図である。
【図７】第１実施の形態に係るパチンコ機の遊技盤について、第１種中央役物のコイルバネが引張られた状態にある際の正面図である。
【図８】第１実施の形態に係るパチンコ機の遊技盤について、第１種中央役物のコイルバネが引張られた状態にある際の平面図である。
【図９】第１実施の形態に係るパチンコ機の遊技盤について、第１種中央役物のコイルバネが引張られた状態にある際の側面図である。
【図１０】第１実施の形態に係るパチンコ機の遊技盤について、第１種中央役物のコイルバネが圧縮された状態にある際の正面図である。
【図１１】第１実施の形態に係るパチンコ機の遊技盤について、第１種中央役物のコイルバネが圧縮された状態にある際の平面図である。
【図１２】第１実施の形態に係るパチンコ機の遊技盤について、第１種中央役物のコイルバネが圧縮された状態にある際の側面図である。
【図１３】第１実施の形態に係るパチンコ機について、第１種中央役物のコイルバネが引張られた状態にある際の正面図である。
【図１４】第２実施の形態に係る第１種パチンコ機の遊技盤の中央に配設される第１種中央役物（コイルバネが圧縮された状態にあるもの）を示した斜視図である。
【図１５】第２実施の形態に係る第１種パチンコ機の遊技盤の中央に配設される第１種中央役物（コイルバネが引張られた状態にあるもの）を示した斜視図である。
【図１６】第２実施の形態に係る第１種パチンコ機の遊技盤の中央に配設される第１種中央役物の筐体を示した正面図である。
【図１７】第２実施の形態に係る第１種パチンコ機の遊技盤の中央に配設される第１種中央役物の筐体を示した平面図である。
【図１８】第２実施の形態に係る第１種パチンコ機の遊技盤の中央に配設される第１種中央役物の筐体を示した側面図である。
【図１９】第２実施の形態に係る第１種パチンコ機の遊技盤の中央に配設される第１種中央役物のモータを示した三面図である。
【図２０】第２実施の形態に係る第１種パチンコ機の遊技盤の中央に配設される第１種中央役物の往復部材を示した三面図である。
【図２１】第２実施の形態に係る第１種パチンコ機の遊技盤の中央に配設される第１種中央役物の歯車を示した三面図である。
【図２２】第２実施の形態に係るパチンコ機の遊技盤について、第１種中央役物のコイルバネが引張られた状態にある際の正面図である。
【図２３】第２実施の形態に係るパチンコ機の遊技盤について、第１種中央役物のコイルバネが引張られた状態にある際の平面図である。
【図２４】第２実施の形態に係るパチンコ機の遊技盤について、第１種中央役物のコイルバネが引張られた状態にある際の側面図である。
【図２５】第２実施の形態に係るパチンコ機の遊技盤について、第１種中央役物のコイルバネが圧縮された状態にある際の正面図である。
【図２６】第２実施の形態に係るパチンコ機の遊技盤について、第１種中央役物のコイルバネが圧縮された状態にある際の平面図である。
【図２７】第２実施の形態に係るパチンコ機の遊技盤について、第１種中央役物のコイルバネが圧縮された状態にある際の側面図である。
【図２８】第２実施の形態に係るパチンコ機について、第１種中央役物のコイルバネが引張られた状態にある際の正面図である。
【符号の説明】
【００４８】
１  第１種中央役物
５  ワープ出口
６  コイルバネ
７  回転軸
８  貫通口
９  モータ
５１  第１種中央役物
５５  ワープ出口
５６  コイルバネ
５７  往復移動片
５８  貫通口
７１  モータ
８１  往復部材
８３  ラック
８４  連結部
９１  歯車
１００  パチンコ機
２００  パチンコ機
【図１】
2005334498.tif 000003
【図２】
2005334498.tif 000004
【図３】
2005334498.tif 000005
【図４】
2005334498.tif 000006
【図５】
2005334498.tif 000007
【図６】
2005334498.tif 000008
【図７】
2005334498.tif 000009
【図８】
2005334498.tif 000010
【図９】
2005334498.tif 000011
【図１０】
2005334498.tif 000012
【図１１】
2005334498.tif 000013
【図１２】
2005334498.tif 000014
【図１３】
2005334498.tif 000015
【図１４】
2005334498.tif 000016
【図１５】
2005334498.tif 000017
【図１６】
2005334498.tif 000018
【図１７】
2005334498.tif 000019
【図１８】
2005334498.tif 000020
【図１９】
2005334498.tif 000021
【図２０】
2005334498.tif 000022
【図２１】
2005334498.tif 000023
【図２２】
2005334498.tif 000024
【図２３】
2005334498.tif 000025
【図２４】
2005334498.tif 000026
【図２５】
2005334498.tif 000027
【図２６】
2005334498.tif 000028
【図２７】
2005334498.tif 000029
【図２８】
2005334498.tif 000030